(57)【要約】【課題】  接地部が安定した姿勢で地面に接地すると共に、使用者の持っている磁気カードに悪影響を及ぼすことがなく、取扱性等に優れた片手両手兼用杖を提供する。【解決手段】  棒状の本体部１ａ，２ａと、本体部１ａ，２ａの上端に設けた握り部１ｂ，２ｂと、本体部１ａ，２ａの下端に設けた接地部１ｃ，２ｃとを夫々有する左手用杖１及び右手用杖２から成り、左手用杖１及び右手用杖２に夫々設けた異極性の永久磁石１ｄ，２ｄの磁力により左手用杖１及び右手用杖２を一本にまとめられる片手両手兼用杖に於いて、左手用杖１及び右手用杖２の対向する内側面を面一の平滑面に夫々形成すると共に、左手用杖１及び右手用杖２の各本体部１ａの下端部位置及び中間部位置に異極性の永久磁石１ｄ，２ｄを夫々埋設し、左手用杖１及び右手用杖２を永久磁石１ｄ，２ｄの磁力により一本杖にまとめたときに左手用杖１及び右手用杖２が長手方向へ相対的に摺動できるようにする。【選択図】      図１
0003127880.tif 000002
【実用新案登録請求の範囲】
【請求項１】
棒状の本体部（１ａ），（２ａ）と、本体部（１ａ），（２ａ）の上端に設けた握り部（１ｂ），（２ｂ）と、本体部（１ａ），（２ａ）の下端に設けた接地部（１ｃ），（２ｃ）とを夫々有する左手用杖（１）及び右手用杖（２）から成り、前記左手用杖（１）及び右手用杖（２）に夫々設けた異極性の永久磁石（１ｄ），（２ｄ）の磁力により左手用杖（１）及び右手用杖（２）を一本の杖にまとめられるようにした片手両手兼用杖に於いて、前記左手用杖（１）及び右手用杖（２）の対向する内側面を面一の平滑面に夫々形成すると共に、左手用杖（１）の本体部（１ａ）の下端部位置及び中間部位置と右手用杖（２）の本体部（２ａ）の下端部位置及び中間部位置とに互いに異極性の永久磁石（１ｄ），（２ｄ）を夫々埋設し、左手用杖（１）及び右手用杖（２）を前記永久磁石（１ｄ），（２ｄ）の磁力により一本の杖にまとめたときに左手用杖（１）及び右手用杖（２）が長手方向へ相対的に摺動できるようにしたことを特徴とする片手両手兼用杖。
【請求項２】
左手用杖（１）及び右手用杖（２）の各本体部（１ａ），（２ａ）は、軽金属により形成した横断面形状が四角筒状又は半円筒状の中空体から成り、各中空体の下端部位置及び中間部位置に夫々異極性の永久磁石（１ｄ），（２ｄ）を嵌め込み固定したことを特徴とする請求項１に記載の片手両手兼用杖。
【請求項３】
左手用杖（１）及び右手用杖（２）の各本体部（１ａ），（２ａ）を夫々形成する中空体の永久磁石（１ｄ），（２ｄ）を嵌め込んだ部分以外に木製の補強材（１ｅ），（２ｅ）を嵌め込み固定し、各中空体を補強するようにしたことを特徴とする請求項２に記載の片手両手兼用杖。
【請求項４】
左手用杖（１）及び右手用杖（２）の各接地部（１ｃ），（２ｃ）を本体部（１ａ），（２ａ）の幅よりも大きめの縦向き姿勢の略円盤状又は略半球状に形成すると共に、各接地部（１ｃ），（２ｃ）の本体部（１ａ），（２ａ）との境界部分を凹状のアール（Ｒ）に形成し、且つ各接地部（１ｃ），（２ｃ）の内側部分を本体部（１ａ），（２ａ）の内側面と面一の平滑面に夫々形成したことを特徴とする請求項１に記載の片手両手兼用杖。
【考案の詳細な説明】
【技術分野】
【０００１】
本考案は、高齢者や足腰に障害のある人、負傷者等の歩行用に供する杖に係り、特に、片手に持って使用する一本の杖から成る片手用杖又は両手に持って使用する二本の杖から成る両手用杖としての機能を有し、使用者が必要に応じて片手用杖又は両手用杖の形態に簡単に変更できるようにした片手両手兼用杖の改良に関するものである。
【背景技術】
【０００２】
一般に、高齢者や足腰に障害のある人の歩行用に供する杖としては、使用者の腕力や体力、足腰の障害の程度等に応じて片手に持って使用する一本の杖から成る片手用杖、両手に持って使用する二本の杖から成る両手用杖、脇当てと握りとを有し、腕と脇で身体を支える松葉杖等が夫々使用されている。
その中でも、二本の杖から成る両手用杖は、片手用杖に比べてバランスが取り易く、歩行中等に片手用杖では十分な支えが得られない使用者にとっては、便宜な杖である。
【０００３】
しかし、両手用杖では、使用者の両手が二本の杖で塞がってしまうので、他の作業（例えば、駅での乗車券の購入、改札の通過、スーパーマーケット等の店での支払いや品物の受け取り等）をする際に片方の手で二本の杖を持ったり、或いは、片方の杖又は両方の杖を一時的に壁等に立てかけたりしなければならず、不便を感じることが多くあった。
【０００４】
そこで、これらの問題を解決する杖として、二本の杖を永久磁石の磁力により一本の杖に簡単にまとめられるようにした片手両手兼用杖が開発され、登録実用新案第３１２２７０９号公報（特許文献１）として公開されている。
即ち、前記片手両手兼用杖は、図１１に示す如く、握り部１０ａ、本体部１０ｂ及び接地部１０ｃを有する左手用杖１０と、同じく握り部１１ａ、本体部１１ｂ及び接地部１１ｃを有し、左手用杖１０と左右対称状に形成された右手用杖１１とから成り、左手用杖１０及び右手用杖１１の握り部１０ａ，１０ｂの内側面に互いに異極性の永久磁石１０ｄ，１１ｄを、又、左手用杖１０及び右手用杖１１の接地部１０ｃ，１１ｃの内側面に互いに異極性の永久磁石１０ｄ，１１ｄを夫々埋め込み固定したものである。
【０００５】
而して、片手両手兼用杖を両手用杖として使用する場合、使用者は左手用杖１０及び右手用杖１１を夫々両手に持って歩行すれば良く、又、片手両手兼用杖を片手用杖として使用する場合、使用者は左手用杖１０及び右手用杖１１をその内側面が対向するように並べ、左手用杖１０及び右手用杖１１の握り部１０ａ，１１ａ及び接地部１０ｃ，１１ｃに夫々埋め込んだ永久磁石１０ｄ，１１ｄの磁力により一本の杖にまとめ、この状態で片方の手に持って歩行すれば良い。
この片手両手兼用杖は、左手用杖１０及び右手用杖１１を一本の杖に簡単にまとめることができるため、二本の杖を両手に持って使用していた使用者の不便さを無くすことができる。
【０００６】
しかし、上述した片手両手兼用杖にも、未だ解決すべき問題点が残されている。
即ち、前記片手両手兼用杖は、左手用杖１０又は右手用杖１１の何れか一方の握り部１０ａに埋め込んだ永久磁石１０ｄに凹部１０ｅ（窪み）を設けると共に、他方の握り部１１ａに埋め込んだ永久磁石１１ｄに前記凹部１０ｅに嵌合する凸部１１ｅ（ネジのネジ頭）を設け、前記凹部１０ｅと凸部１１ｅとを嵌合させることによって、左手用杖１０及び右手用杖１１が上下左右にずれるのを防止するようにしている。そのため、使用者が左手用杖１０及び右手用杖１１を一本の杖にまとめて片手用杖として使用したときに、接地部１０ｃ，１１ｃを地面に対して斜めに接地（使用者の斜め前方位置や使用者の側方位置に接地）させると、二つの接地部１０ｃ，１１ｃのうちの一方の接地部１０ｃ（又は１１ｃ）の下面の一部の角部だけが地面に当たることになる。その結果、片手用杖の接地部１０ｃ，１１ｃの地面への接地が不十分になって極めて不安定で且つ滑り易くなり、安全性に劣ると云う問題があった。
又、この片手両手兼用杖は、一方の握り部１０ａの永久磁石１０ｄに凹部１０ｅを、他方の握り部１１ａの永久磁石１１ｄに凸部１１ｅを夫々設けているため、左手用杖１０及び右手用杖１１を一本の杖にまとめるときに凹部１０ｅと凸部１１ｅとを完全に合致させないと、一本の杖にまとめることができず、両手用杖１０から片手用杖１１にするときに取扱性に劣ると云う問題があった。
更に、この片手両手兼用杖は、左手用杖１０及び右手用杖１１の各握り部１０ａ，１１ａに永久磁石１０ｄ，１１ｄを夫々設けているため、永久磁石１０ｄ，１１ｄの位置が使用者の腰の高さ位置に来ることなり、使用者がズボンや上着のポケット、肩掛け鞄等にキャッシュカードやクレジットカード、定期券等の磁気カードを入れていた場合には、磁気カードが永久磁石１０ｄ，１１ｄの磁気により悪影響を受けると云う問題があった。
加えて、この片手両手兼用杖は、左手用杖１０及び右手用杖１１の各握り部１０ａ，１１ａ及び接地部１０ｃ，１１ｃに永久磁石１０ｄ，１１ｄを夫々設けているため、一本の杖として使用するときには両握り部１０ａ，１１ａをまとめて持つため、両握り部１０ａ，１１ａに永久磁石１０ｄ，１１ｄを設ける意味がないばかりか、二本の杖として使用するときに両握り部１０ａ，１１ａに力を加えて左手用杖１０及び右手用杖１１を分離するので、永久磁石１０ｄ，１１ｄの磁力が強くなればなる程、大きな力を必要として容易に分離することが困難になり、実際上の便宜さを欠くことになる。
【特許文献１】登録実用新案第３１２２７０９号公報
【考案の開示】
【考案が解決しようとする課題】
【０００７】
本考案は、このような問題点に鑑みて為されたものであり、その目的は接地部の大部分が常に安定した姿勢で地面に接地すると共に、使用者の持っている磁気カード等に悪影響を及ぼすことがなく、然も、取扱性等に優れた片手両手兼用杖を提供することにある。
【課題を解決するための手段】
【０００８】
上記目的を達成する為に、本考案の請求項１の片手両手兼用杖は、棒状の本体部と、本体部の上端に設けた握り部と、本体部の下端に設けた接地部とを夫々有する左手用杖及び右手用杖から成り、前記左手用杖及び右手用杖に夫々設けた異極性の永久磁石の磁力により左手用杖及び右手用杖を一本の杖にまとめられるようにした片手両手兼用杖に於いて、前記左手用杖及び右手用杖の対向する内側面を面一の平滑面に夫々形成すると共に、左手用杖の本体部の下端部位置及び中間部位置と右手用杖の本体部の下端部位置及び中間部位置とに互いに異極性の永久磁石を夫々埋設し、左手用杖及び右手用杖を前記永久磁石の磁力により一本の杖にまとめたときに左手用杖及び右手用杖が長手方向へ相対的に摺動できるようにしたことに特徴がある。
【０００９】
本考案の請求項２の片手両手兼用杖は、請求項１の考案に於いて、左手用杖及び右手用杖の各本体部が、軽金属により形成した横断面形状が四角筒状又は半円筒状の中空体から成り、各中空体の下端部位置及び中間部位置に永久磁石を嵌め込み固定したことに特徴がある。
【００１０】
本考案の請求項３の片手両手兼用杖は、請求項２の考案に於いて、左手用杖及び右手用杖の各本体部を夫々形成する中空体の永久磁石を嵌め込んだ部分以外に木製の補強材を嵌め込み固定し、各中空体を補強するようにしたことに特徴がある。
【００１１】
本考案の請求項４の片手両手兼用杖は、請求項１の考案に於いて、左手用杖及び右手用杖の各接地部を本体部の幅よりも大きめの縦向き姿勢の略円盤状又は略半球状に形成すると共に、各接地部の本体部との境界部分を凹状のアールに形成し、且つ各接地部の内側部分を本体部の内側面と面一の平滑面に夫々形成したことに特徴がある。
【考案の効果】
【００１２】
本考案の請求項１の片手両手兼用杖は、本体部と握り部と接地部とを夫々有する左手用杖及び右手用杖から成り、左手用杖及び右手用杖の対向する内側面を面一の平滑面に夫々形成すると共に、左手用杖の本体部の下端部位置及び中間部位置と右手用杖の本体部の下端部位置及び中間部位置とに互いに異極性の永久磁石を夫々埋設し、左手用杖及び右手用杖を前記永久磁石の磁力により一本の杖にまとめたときに左手用杖及び右手用杖が長手方向へ相対的に摺動できるようにしているため、使用者が接地部を地面に対して斜めに接地させた場合でも、左手用杖及び右手用杖が長手方向へ相対的に摺動し、左手用杖及び右手用杖の両方の接地部の下端の大部分が地面に接地することになる。即ち、本考案の請求項１の片手両手兼用杖は、一本の杖にまとめて使用するときに接地部が常に安定した姿勢で地面に接地することになり、地面に対して滑り難くなる。その結果、本考案の請求項１の片手両手兼用杖は、歩行者が安定したスムーズな歩行状態を得ることができ、極めて安全性に優れたものとなる。
又、本考案の請求項１の片手両手兼用杖は、左手用杖及び右手用杖の対向する内側面を面一の平滑面に夫々形成しているため、左手用杖及び右手用杖を一本の杖にまとめるときに、左手用杖及び右手用杖の内側面同士を完全に合致させなくても、両者をある程度合わせれば、永久磁石の磁力により自動的に摺動して合致することになり、取扱性に優れたものとなる。
更に、本考案の請求項１の片手両手兼用杖は、左手用杖及び右手用杖の各本体部の下端部位置及び中間部位置に永久磁石を夫々埋設しているため、使用者がズボンや上着のポケット、肩掛け鞄等にキャッシュカードやクレジットカード、定期券等の磁気カードを入れていても、永久磁石が磁気カードの位置から離れた位置にあるので、使用者の持っている磁気カードが永久磁石の磁気の悪影響を受けると云うことがない。
そのうえ、本考案の請求項１の片手両手兼用杖は、左手用杖の本体部の下端部位置及び中間部位置と右手用杖の本体部の下端部位置及び中間部位置とに互いに異極性の永久磁石を夫々埋設しているため、一本にまとめた杖を左手用杖と右手用杖に分離するときに左手用杖及び右手用杖の両握り部を持って分離すれば、永久磁石が両握り部から離れた位置にあるので、梃子の作用により左手用杖及び右手用杖を容易に分離することができる。又、一本の杖にまとめるときにも、左手用杖及び右手用杖の両握り部間に指の重なり程度の隙間があっても、両本体部の中間部位置では永久磁石同士の間隔が狭くなるので大きな力で容易に一本の杖にまとめることができる。その結果、本考案の請求項１の片手両手兼用杖は、より一層取扱性に優れたものとなる。
【００１３】
本考案の請求項２乃至請求項４の片手両手兼用杖は、上記効果に加えて更に次のような優れた効果を奏することができる。
即ち、本考案の請求項２の片手両手兼用杖は、左手用杖及び右手用杖の各本体部が軽金属により形成した横断面形状が四角筒状又は半円筒状の中空体から成るため、杖自体の軽量化を図れると共に、永久磁石を取り付け易くなる。
又、本考案の請求項３の片手両手兼用杖は、左手用杖及び右手用杖の各本体部を夫々形成する中空体の永久磁石を嵌め込んだ部分以外に木製の補強材を嵌め込み固定し、各中空体を補強するようにしているため、機械的強度に優れた杖となる。
更に、本考案の請求項４の片手両手兼用杖は、左手用杖及び右手用杖の各接地部の本体部との境界部分を凹状のアールに形成しているため、歩行中に使用者が接地部を靴で踏み付けたりすると云うがなく、又、階段を昇り降りするときに接地部が階段の踏み面の角部に引っ掛かったりすると云うことがなく、歩行や階段の昇り降りを安全且つ円滑に行える。
【考案を実施するための最良の形態】
【００１４】
以下、本考案の実施の形態を図面に基づいて詳細に説明する。
図１乃至図７は本考案の実施の形態に係る片手両手兼用杖を示し、当該片手両手兼用杖は、棒状の本体部１ａ，２ａと、本体部１ａ，２ａの上端に設けた握り部１ｂ，２ｂと、本体部１ａ，２ａの下端に設けた接地部１ｃ，２ｃとを夫々有する同一形状の左手用杖１及び右手用杖２から成り、左手用杖１及び右手用杖２の対向する内側面を面一の平滑面に夫々形成すると共に、左手用杖１の本体部１ａの下端部位置及び中間部位置と右手用杖２の本体部２ａの下端部位置及び中間部位置とに互いに異極性の永久磁石１ｄ，２ｄを夫々埋設し、左手用杖１及び右手用杖２を前記永久磁石１ｄ，２ｄの磁力により一本の杖にまとめたときに左手用杖１及び右手用杖２が長手方向へ相対的に摺動できるようにしたものである。
この片手両手兼用杖は、左手用杖１及び右手用杖２を両手に持って使用することにより両手用杖として機能し、又、左手用杖１及び右手用杖２を永久磁石１ｄ，２ｄの磁力により一本の杖にまとめ、片手に持って使用することにより片手用杖として機能するものであり、使用者が必要に応じて片手用杖又は両手用杖の形態に各々変更できるようになっている。
【００１５】
前記左手用杖１の本体部１ａ及び右手用杖２の本体部２ａは、アルミ、アルミ合金、チタン及びチタン合金等の軽金属により形成した横断面形状が四角筒状又は半円筒状の中空体から成り、各本体部１ａ，２ａの下端部位置及び中間部位置には、互いに異極性の永久磁石１ｄ，２ｄが嵌め込み固定されている。
この実施の形態に於いては、左手用杖１の本体部１ａ及び右手用杖２の本体部２ａは、図５に示す如く、アルミ合金により形成した横断面形状が四角筒状の中空体から成り、各本体部１ａ，２ａの下端から５〜６ｃｍの位置及び５０ｃｍ位の位置に夫々永久磁石１ｄ，２ｄが嵌め込み固定されている（図３参照）。左手用杖１及び右手用杖２の各本体部１ａ，２ａの下端部位置及び中間部位置に永久磁石１ｄ，２ｄを設けたのは、永久磁石１ｄ，２ｄの位置が使用者の腰の高さ位置に来ることを避け、使用者のズボンや上着のポケット、肩掛け鞄等に入っているキャッシュカードやクレジットカード、定期券等の磁気カードに悪影響を及ぼさないようにするためである。
又、左手用杖１の本体部１ａに嵌め込み固定された永久磁石１ｄと右手用杖２の本体部２ａに嵌め込み固定された永久磁石２ｄとは、縦長に形成した異極性の磁石であり、両者を近づけたときに磁力によりくっ付くようになっている。そのため、左手用杖１及び右手用杖２を一本の杖にまとめるときに両本体部１ａ，２ａの内側面（四角筒状の中空体の一側面）同士が永久磁石１ｄ，２ｄの磁力よりくっ付くことになる。
更に、左手用杖１の本体部１ａ及び右手用杖２の本体部２ａを形成する中空体は、図３に示す如く、永久磁石１ｄ，２ｄを嵌め込み固定した部分以外に木製の補強材１ｅ，２ｅが嵌め込み固定されており、この木製の補強材１ｅ，２ｅにより機械的強度を高めるようにしている。この木製の補強材１ｅ，２ｅには、堅くて弾力のある樫、軽くて丈夫な欅や楓等が使用されている。
【００１６】
前記左手用杖１の握り部１ｂ及び右手用杖２の握り部２ｂは、堅くて弾力のある樫、軽くて丈夫な欅や楓等の木材、或いはアクリル樹脂等の合成樹脂材によりＴ字型に形成されており、その下端部が本体部１ａ，２ａの上端に夫々嵌着固定されている。
又、左手用杖１の握り部１ｂ及び右手用杖２の握り部２ｂの対向する内側面は、図２及び図４に示す如く、本体部１ａ，２ａの内側面と面一の平滑面に形成されており、左手用杖１の本体部１ａ及び右手用杖２の本体部２ａの内側面同士が合致したときに、左手用杖１の握り部１ｂ及び右手用杖２の握り部２ｂの内側面同士も合致するようになっている。
【００１７】
前記左手用杖１の接地部１ｃ及び右手用杖２の接地部２ｃは、図１及び図２に示す如く、堅くて弾力のある樫、軽くて丈夫な欅や楓等の木材により左手用杖１及び右手用杖２の各本体部１ａ，２ａの厚みと同じ厚さで且つ各本体部１ａ，２ａの幅よりも大きめの縦向き姿勢の略円盤状に形成されており、その上端部が本体部１ａ，２ａの下端に夫々着脱自在に嵌着されている。接地部１ｃ，２ｃを本体部１ａ，２ａへ着脱自在としたのは、杖を長期間使用して接地部１ｃ，２ｃが摩耗した際に新しい接地部１ｃ，２ｃと交換できるようにするためである。又、接地部１ｃ，２ｃを本体部１ａ，２ａの幅よりも大きめに形成したのは、接地部１ｃ，２ｃが安定した姿勢で地面に接地するようにするためである。
更に、左手用杖１の接地部１ｃ及び右手用杖２の接地部２ｃの下面には、適度な硬度、弾性を有する合成ゴム（ＳＢＲやＮＢＲ）から成る滑り止め兼緩衝用部材１ｆ，２ｆが貼り付けられている。この滑り止め兼緩衝用部材１ｆ，２ｆにより、接地部１ｃ，２ｃが地面に接地した際の滑り止めを図ると共に、接地部１ｃ，２ｃを地面に突き当てた際の衝撃を緩和して使用者の手首や腕への衝撃による負担を軽減するようにしている。
そして、左手用杖１の接地部１ｃ及び右手用杖２の接地部２ｃは、本体部１ａ，２ａとの境界部分が凹状のアールＲに形成されていると共に、対向する内側面が本体部１ａ，２ａの内側面と面一の平滑面に形成されている。
【００１８】
而して、上述した片手両手兼用杖を両手用杖として使用する場合、使用者は左手用杖１及び右手用杖２を夫々両手に持って歩行すれば良い。
このとき、片手両手兼用杖は、左手用杖１及び右手用杖２の各本体部１ａ，２ａの下端部位置及び中間部位置に永久磁石１ｄ，２ｄを夫々埋設しているため、使用者がズボンや上着のポケット、肩掛け鞄等にキャッシュカードやクレジットカード、定期券等の磁気カードを入れていても、永久磁石１ｄ，２ｄが磁気カードの位置から離れた位置にあるので、使用者の持っている磁気カードが永久磁石１ｄ，２ｄの磁気の悪影響を受けると云うことがない。
更に、片手両手兼用杖は、左手用杖１及び右手用杖２の各接地部１ｃ，２ｃが本体部１ａ，２ａの幅よりも大きめに形成されていても、各接地部１ｃ，２ｃの本体部１ａ，２ａとの境界部分を凹状のアールＲに形成しているため、歩行中に使用者が接地部１ｃ，２ｃを靴で踏み付けたりすると云うがなく、又、階段を昇り降りするときに接地部１ｃ，２ｃが階段の踏み面の角部に引っ掛かったりすると云うことがなく、歩行や階段の昇り降りを安全且つ円滑に行える。
そのうえ、片手両手兼用杖は、左手用杖１及び右手用杖２の各握り部１ｂ，２ｂをＴ字型に形成しているため、使用上は左手用杖１と右手用杖２の区別がなくなる。このことにより、左右の杖１，２の持ち替え等の手間が省けることになり、便宜さが増すことになる。
【００１９】
一方、片手両手兼用杖を片手用杖として使用する場合、使用者は左手用杖１及び右手用杖２をその内側面が対向するように並べ、左手用杖１及び右手用杖２を各本体部１ａ，２ａに埋め込み固定した永久磁石１ｄ，２ｄの磁力により一本の杖にまとめ、この状態で片方の手に持って歩行すれば良い。
このとき、片手両手兼用杖は、左手用杖１及び右手用杖２の対向する内側面を面一の平滑面に夫々形成しているため、左手用杖１及び右手用杖２を一本の杖にまとめるときに、左手用杖１及び右手用杖２の内側面同士を完全に合致させなくても、両者をある程度合わせれば、永久磁石１ｄ，２ｄの磁力により自動的に摺動して合致することになり、取扱性に優れたものとなる。然も、永久磁石１ｄ，２ｄを縦長に形成しているため、摺動距離と復元力が大きくなり、前記効果がより助長されることになる。
又、片手両手兼用杖は、左手用杖１及び右手用杖２の対向する内側面を面一の平滑面に夫々形成すると共に、左手用杖１の本体部１ａと右手用杖２の本体部２ａとに互いに異極性の永久磁石１ｄ，２ｄを夫々埋設し、左手用杖１及び右手用杖２を永久磁石１ｄ，２ｄの磁力により一本の杖にまとめたときに左手用杖１及び右手用杖２が長手方向へ相対的に摺動できるようにしているため、使用者が接地部１ｃ，２ｃを地面に対して斜めに接地させた場合でも、左手用杖１及び右手用杖２が長手方向へ相対的に摺動し、左手用杖１及び右手用杖２の両方の接地部１ｃ，２ｃの下端が地面に接地することになる（図７参照）。その結果、この片手両手兼用杖は、接地部１ｃ，２ｃが常に安定した姿勢で地面に接地して滑り難くなり、歩行者が安定したスムーズな歩行状態を得ることができ、安全性に優れたものとなる。
更に、片手両手兼用杖は、左手用杖１の本体部１ａの下端部位置及び中間部位置と右手用杖２の本体部２ａの下端部位置及び中間部位置とに互いに異極性の永久磁石１ｄ，２ｄを夫々埋設しているため、一本の杖にまとめるときに左手用杖１及び右手用杖２の両握り部１ｂ，２ｂ間に指の重なり程度の隙間があっても、両本体部１ａ，２ａの中間部位置では永久磁石１ｄ，２ｄ同士の間隔が狭くなるので大きな力で容易に一本の杖にまとめることができる。
【００２０】
そして、片手用杖として使用した片手両手兼用杖を両手用杖として使用する場合には、左手用杖１と右手用杖２とを永久磁石１ｄ，２ｄの磁力に打ち勝つ力で引き離し、片手両手兼用杖を左手用杖１と右手用杖２とに分離すれば良い。
このとき、左手用杖１及び右手用杖２の両握り部１ｂ，２ｂを持って分離すれば、永久磁石１ｄ，２ｄが両握り部１ｂ，２ｂから離れた位置にあるので、梃子の作用により左手用杖１及び右手用杖２を容易に分離することができる。
【００２１】
尚、上記の実施の形態に於いては、片手両手兼用杖の左手用杖１と右手用杖２とを同一形状に形成するようにしたが、他の実施の形態に於いては、片手両手兼用杖の左手用杖１と右手用杖２とを左右対称状に形成するようにしても良い。
【００２２】
上記の実施の形態に於いては、片手両手兼用杖の左手用杖１及び右手用杖２の長さを一定としたが、他の実施の形態に於いては、左手用杖１の本体部１ａと右手用杖２の本体部２ａとを伸縮自在且つ長さ調整自在に構成し、左手用杖１及び右手用杖２の長さを可変できるようにしても良い。この場合、左手用杖１と右手用杖２の長さを長くし、握り部１ｂ，２ｂの高さ位置を使用者の脇に当てられるようにすれば、片手両手兼用杖を松葉杖として使用することもできる。
【００２３】
上記の実施の形態に於いては、左手用杖１及び右手用杖２の各本体部１ａ，２ａをアルミ合金により形成した横断面形状が四角筒状の中空体から形成したが、他の実施の形態に於いては、図８に示す如く、左手用杖１及び右手用杖２の各本体部１ａ，２ａをアルミ合金により形成した横断面形状が半円筒状の中空体から形成するようにしても良く、或いはアルミやチタン、チタン合金により横断面形状が四角筒状又は半円筒状の中空体から形成するようにしても良い。又、中空体に木製の補強材１ｅ，２ｅを嵌め込み固定するようにしたが、中空体の強度が十分であれば、木製の補強材１ｅ，２ｅを省略するようにしても良い。
【００２４】
上記実施の形態に於いては、左手用杖１及び右手用杖２の各握り部１ｂ，２ｂをＴ字型に形成するようにしたが、他の実施の形態に於いては、図９に示す如く、左手用杖１及び右手用杖２の各握り部１ｂ，２ｂを樫等の木材やアクリル樹脂等の合成樹脂材によりＬ字型に形成するようにしても良い。
【００２５】
上記実施の形態に於いては、左手用杖１及び右手用杖２の各接地部１ｃ，２ｃを樫等の木材により左手用杖１及び右手用杖２の各本体部１ａ，２ａの幅よりも大きめの縦向き姿勢の略円盤状に形成すると共に、各接地部１ｃ，２ｃの本体部１ａ，２ａとの境界部分を凹状のアールＲに形成し、且つ各接地部１ｃ，２ｃの内側部分を本体部１ａ，２ａの内側面と面一の平滑面に夫々形成するようにしたが、他の実施の形態に於いては、図１０に示す如く、各接地部１ｃ，２ｃを樫等の木材により各本体部１ａ，２ａの幅よりも大きめの略半球状に形成すると共に、各接地部１ｃ，２ｃの本体部１ａ，２ａとの境界部分を凹状のアールＲに形成に形成し、且つ各接地部１ｃ，２ｃの内側部分を本体部１ａ，２ａの内側面と面一の平滑面に夫々形成するようにしても良い。
【００２６】
上記実施の形態に於いては、左手用杖１及び右手用杖２の各接地部１ｃ，２ｃを樫等の木材により形成し、その下面側に合成ゴムから成る滑り止め兼緩衝用部材１ｆ，２ｆを貼り付けるようにしたが、他の実施の形態に於いては、左手用杖１及び右手用杖２の各接地部１ｃ，２ｃ全体を合成ゴムにより形成するようにしても良い。
【図面の簡単な説明】
【００２７】
【図１】本考案の実施の形態に係る片手両手兼用杖を示し、片手両手兼用杖を両手用杖として使用する場合の左手用杖及び右手用杖の側面図である。
【図２】片手両手兼用杖を両手用杖として使用する場合の左手用杖及び右手用杖の正面図である。
【図３】左手用杖及び右手用杖の縦断面図である。
【図４】片手両手兼用杖を片手用杖として使用する場合を示し、左手用杖及び右手用杖を一本の杖にまとめた状態の正面図である。
【図５】図４のＡ−Ａ線断面図である。
【図６】図４のＢ−Ｂ線断面図である。
【図７】片手両手兼用杖を片手用杖として使用し、片手両手兼用杖を傾斜姿勢で地面に接地させた場合の正面図である。
【図８】左手用杖及び右手用杖の本体部の変形例を示し、本体部を略半円筒状に形成した本体部の横断面図である。
【図９】本考案の他の実施の形態に係る片手両手兼用杖を示し、握り部をＬ字型に形成した左手用杖及び右手用杖の側面図である。
【図１０】左手用杖及び右手用杖の接地部の変形例を示し、接地部を略半球状に形成した左手用杖及び右手用杖の正面図である。
【図１１】従来の片手両手兼用杖を示し、片手両手兼用杖を両手用杖として使用する場合の左手用杖及び右手用杖の斜視図である。
【符号の説明】
【００２８】
１は左手用杖、１ａは本体部、１ｂは握り部、１ｃは接地部、１ｄは永久磁石、１ｅは補強材、２は右手用杖、２ａは本体部、２ｂは握り部、２ｃは接地部、２ｄは永久磁石、２ｅは補強材。
【図１】
0003127880.tif 000003
【図２】
0003127880.tif 000004
【図３】
0003127880.tif 000005
【図４】
0003127880.tif 000006
【図５】
0003127880.tif 000007
【図６】
0003127880.tif 000008
【図７】
0003127880.tif 000009
【図８】
0003127880.tif 000010
【図９】
0003127880.tif 000011
【図１０】
0003127880.tif 000012
【図１１】
0003127880.tif 000013